【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
インクと接する部材の少なくとも一部が、シリコン、ガラス、或いはこれらに酸化物、窒化物、金属、有機化合物のいずれかが設けられた膜で形成されるインクジェットプリンタに用いられる、色材及び水を主成分とする水性インク組成物であって、ｐＨが６．５〜１１．５における、インクと接する部材と色材間のゼータ電位が０〜−５０ｍＶであることを特徴とする水性インク組成物。
【請求項２】
インクと接する部材の少なくとも一部が、シリコン、ガラス、或いはこれらに酸化物、窒化物、金属、有機化合物のいずれかが設けられた膜で形成されるインクジェットプリンタに用いられる、色材及び水を主成分とする水性インク組成物であって、ｐＨが６．５〜１１．５におけるゼータ電位が−２０ｍＶ以下であり、かつインクと接する部材と色材間のゼータ電位が０〜−５０ｍＶであることを特徴とする水性インク組成物。
【請求項３】
色材が樹脂で包含されるか、あるいは色材で着色された有色樹脂微粒子を含有することを特徴とする請求項１又は２記載の水性インク組成物。
【請求項４】
カチオン性イオン及び／又はカチオン性化合物を含有することを特徴とする請求項１〜３のいずれかに記載の水性インク組成物。
【請求項５】
カチオン性化合物が、カチオン性樹脂、カチオン性界面活性剤及び／又はカチオン性の色材であることを特徴とする請求項４記載の水性インク組成物。
【請求項６】
カチオン性の色材が、カチオン性染料、カチオン性カーボンブラックまたはカチオン性顔料であることを特徴とする請求項５記載の水性インク組成物。
【請求項７】
下記一般式（１）で表されるホスホニウムイオンを含有することを特徴とする請求項１〜３のずれかに記載の水性インク組成物。
一般式（１）
【化１】
2003165936.tif 000001
（式中、Ｒａ、Ｒｂ、Ｒｃ、Ｒｄは炭素数１ないし４の直鎖状、分岐状、環状アルキル基、ヒドロキシアルキル基、ハロゲン化アルキル基、置換または無置換のフェニル基を表し、Ｘ-は対イオンを表す。）
【請求項８】
下記一般式（２）で表されるアセチレン系化合物を含有することを特徴とする請求項１〜３のいずれかに記載の水性インク組成物。一般式（２）
【化２】
2003165936.tif 000002
（但し、Ｒ1〜Ｒ6は炭素数１〜５の直鎖状アルキル基、ｍ、ｎは０〜２０の整数を表す。）
【請求項９】
下記一般式（３）で表されるスルホニウムイオンを含有することを特徴とする請求項１〜３のいずれかに記載の水性インク組成物。
一般式（３）
【化３】
2003165936.tif 000003
（式中、Ｒａ、Ｒｂ、Ｒｃは炭素数１ないし４の直鎖状、分岐状、環状アルキル基、ヒドロキシアルキル基、ハロゲン化アルキル基、置換または無置換のフェニル基を表し、Ｘ-は対イオンを表す。）
【請求項１０】
下記一般式（４）で表されるアルソニウムイオンを含有することを特徴とする請求項１〜３のいずれかに記載の水性インク組成物。
一般式（４）
【化４】
2003165936.tif 000004
（式中、Ｒａ、Ｒｂ、Ｒｃ、Ｒｄは炭素数１ないし４の直鎖状、分岐状、環状アルキル基、ヒドロキシアルキル基、ハロゲン化アルキル基、置換または無置換のフェニル基を表し、Ｘ-は対イオンを表す。）
【請求項１１】
ホウ素化合物を含有することを特徴とする請求項１〜３のいずれかに記載の水性インク組成物。
【請求項１２】
ベリリウムイオン（Ｂｅ2+）を含有することを特徴とする請求項１〜３のいずれかに記載の水性インク組成物。
【請求項１３】
アルミニウムイオン（Ａｌ3+）を含有することを特徴とする請求項１〜３のいずれかに記載の水性インク組成物。
【請求項１４】
亜鉛イオン（Ｚｎ2+）を含有することを特徴とする請求項１〜３のいずれかに記載の水性インク組成物。
【請求項１５】
チタニウムイオン（Ｔｉ4+）を含有することを特徴とする請求項１〜３のいずれかに記載の水性インク組成物。
【請求項１６】
ジルコニウムイオン（Ｚｒ4+）のを含有することを特徴とする請求項１〜３のいずれかに記載の水性インク組成物。
【請求項１７】
シリケートイオン（Ｓｉ2+）を含有することを特徴とする請求項１〜３のいずれかに記載の水性インク組成物。
【請求項１８】
前記のカチオン性イオン、カチオン性化合物、カチオン性物質、一般式（１）で表されるホスホニウム、一般式（２）で表されるアセチレン系化合物、一般式（３）で表されるスルホニウムイオン、一般式（４）で表されるアルソニウムイオン、ホウ素化合物、ベリリウムイオン（Ｂｅ2+）、アルミニウムイオン、（Ａｌ3+）、亜鉛イオン（Ｚｎ2+）、チタニウムイオン（Ｔｉ4+）、ジルコニウムイオン（Ｚｒ4+）、シリケートイオン（Ｓｉ2+）のうちの少なくとも２種を含有することを特徴とする請求項１〜３のいずれかに記載の水性インク組成物。
【請求項１９】
インクのｐＨが７から１０の範囲にあることを特徴とする請求項１〜１８のいずれかに記載の水性インク組成物。
【請求項２０】
請求項１〜１９のいずれかに記載の水性インク組成物であって、液室部材、流体抵抗部または振動板のそれぞれの部材の少なくとも一部が、シリコン、ガラス、或いはこれらに酸化物、窒化物、金属、有機化合物のいずれかで設けられた膜のいずれかで形成されたインクジェットプリンタに用いることを特徴とするインクジェット用記録インク。
【請求項２１】
請求項１〜１９のいずれかに記載の水性インク組成物であって、ノズルの部材の少なくとも一部が、シリコン、ガラス、或いはこれらに酸化物、窒化物、金属、有機化合物のいずれかで設けられた膜のいずれかで形成されたインクジェットプリンタに用いることを特徴とするインクジェット記録用インク。
【請求項２２】
請求項１〜１９のいずれかに記載の水性インク組成物であって、前記部材におけるシリコンが単結晶シリコン、ポリシリコンのいずれかであり、或いはガラスが硼珪酸ガラス、感光性ガラス、石英ガラス、ソーダ石灰ガラスのいずれかであり、或いはシリコン、ガラスのいずれかに設けられた膜が酸化シリコン、酸化チタン、酸化クロム、窒化チタン、窒化シリコン、ジルコニウム、ポリイミドのいずれかであることを特徴とする請求項２０又は２１記載のインクジェット記録用インク。
【請求項２３】
インクと接する部材の少なくとも一部が、シリコン、ガラス、或いはこれらに酸化物、窒化物、金属、有機化合物のいずれかで設けられた膜のいずれかで形成されるインクジェットプリンタと、請求項２０〜２２のいずれかに記載のインクジェット記録用インクとを用いて記録を行うことを特徴とするインクジェット記録方法。
【請求項２４】
液室部材の部材の少なくとも一部が、シリコン、ガラス、或いはこれらに酸化物、窒化物、金属、有機化合物のいずれかで設けられた膜のいずれかで形成されたインクジェットプリンタと、請求項２０に記載のインクジェット記録用インクとを用いて記録を行うことを特徴とするインクジェット記録方法。
【請求項２５】
流体抵抗部の部材の少なくとも一部が、シリコン、ガラス、或いはこれらに酸化物、窒化物、金属、有機化合物のいずれかで設けられた膜のいずれかで形成されたインクジェットプリンタと、請求項２０に記載のインクジェット記録用インクとを用いて記録を行うことを特徴とするインクジェット記録方法。
【請求項２６】
振動板の部材の少なくとも一部が、シリコン、ガラス、或いはこれらに酸化物、窒化物、金属、有機化合物のいずれかで設けられた膜のいずれかで形成されたインクジェットプリンタと、請求項２０に記載のインクジェット記録用インクとを用いて記録を行うことを特徴とするインクジェット記録方法。
【請求項２７】
ノズルの部材の少なくとも一部が、シリコン、ガラス、或いはこれらに酸化物、窒化物、金属、有機化合物のいずれかで設けられた膜のいずれかで形成されたインクジェットプリンタと、請求項２１に記載のインクジェット記録用インクとを用いて記録を行うことを特徴とするインクジェット記録方法。
【請求項２８】
請求項２３〜２７のいずれかに記載の部材において、シリコンが単結晶シリコン、ポリシリコンのいずれかであり、或いはガラスが硼珪酸ガラス、感光性ガラス、石英ガラス、ソーダ石灰ガラスのいずれかであり、或いはシリコン、ガラスのいずれかに設けられた膜が酸化シリコン、酸化チタン、酸化クロム、窒化チタン、窒化シリコン、ジルコニウム、ポリイミドのいずれかであることを特徴とするインクジェット記録方法。
【請求項２９】
液室部材、流体抵抗部、振動板、ノズルをエッチング処理、サンドブラスト処理、エキシマレーザー加工、ドリル加工することにより溝を形成することを特徴とする請求項１９〜２８のいずれかに記載のインクジェット記録用インクおよびインクジェット記録方法。
【請求項３０】
記録液を収容した記録液収容部を備えた記録液カートリッジにおいて、前記記録液が請求項２０〜２２のいずれかに記載のインクジェット記録用インクであることを特徴とする記録液カートリッジ。
【請求項３１】
記録液を収容した記録液収容部と、記録液滴を吐出させるためのヘッド部を備えた記録液カートリッジにおいて、前記記録液が請求項２０〜２２のいずれかに記載のインクジェット記録用インクであることを特徴とする記録液カートリッジ。
【請求項３２】
記録液を収容した記録液収容部と、記録液滴を吐出させるための記録ヘッドとを有する記録液カートリッジを備えたインクジェット記録装置において、前記記録液が請求項２０〜２２のいずれかに記載のインクジェット記録用インクであることを特徴とするインクジェット記録装置。
【手続補正２】
【補正対象書類名】明細書
【補正対象項目名】００１６
【補正方法】変更
【補正の内容】
【００１６】
本発明の上記課題は下記（１）〜（３２）によって達成される。
（１）インクと接する部材の少なくとも一部が、シリコン、ガラス、或いはこれらに酸化物、窒化物、金属、有機化合物のいずれかが設けられた膜で形成されるインクジェットプリンタに用いられる、色材及び水を主成分とする水性インク組成物であって、ｐＨが６．５〜１１．５における、インクと接する部材と色材間のゼータ電位が０〜−５０ｍＶであることを特徴とする水性インク組成物。
【手続補正３】
【補正対象書類名】明細書
【補正対象項目名】００１７
【補正方法】変更
【補正の内容】
【００１７】
（２）インクと接する部材の少なくとも一部が、シリコン、ガラス、或いはこれらに酸化物、窒化物、金属、有機化合物のいずれかが設けられた膜で形成されるインクジェットプリンタに用いられる、色材及び水を主成分とする水性インク組成物であって、ｐＨが６．５〜１１．５におけるゼータ電位が−２０ｍＶ以下であり、かつインクと接する部材と色材間のゼータ電位が０〜−５０ｍＶであることを特徴とする水性インク組成物。
【手続補正４】
【補正対象書類名】明細書
【補正対象項目名】０２２３
【補正方法】変更
【補正の内容】
【０２２３】
【発明の効果】
請求項１に記載した構成によれば、色材及び水を主成分とする水性インク組成物のｐＨが６．５〜１１．５での、インクと接する部材と色材間のゼータ電位が０〜−５０ｍＶ間であれば、プリンタに使用されるシリコン、ガラス、或いはこれらに酸化物、窒化物、金属、有機化合物のいずれかで設けられた膜等の溶出を防止でき、プリンタの設計精度の低下によるインク滴の大きさや吐出速度の変化による画像品質の低下、吐出不良の発生、結合部の接合強度の低下による故障といった問題を防止し、またインクへのガラスやシリコン溶出による目詰まりを防止するインクを提供することができる。
【手続補正５】
【補正対象書類名】明細書
【補正対象項目名】０２２４
【補正方法】変更
【補正の内容】
【０２２４】
請求項２に記載した構成によれば、色材及び水を主成分とする水性インク組成物のｐＨが６．５〜１１．５でのゼータ電位が−２０ｍＶ以下であり、かつインクと接する部材と色材間のゼータ電位が０〜−５０ｍＶであれば、プリンタに使用されるシリコン、ガラス、或いはこれらに酸化物、窒化物、金属、有機化合物のいずれかで設けられた膜等の溶出を防止でき、プリンタの設計精度の低下によるインク滴の大きさや吐出速度の変化による画像品質の低下、吐出不良の発生、結合部の接合強度の低下による故障といった問題を防止し、またインクへのガラスやシリコン溶出による目詰まりを防止するインクを提供することができる。